(57)【要約】【課題】充填される充填物の充填量を増大させ、使用後に内部に残留する充填物の残量を少なくできる容器を提供する。【解決手段】グリース充填用容器１０のねじ部１２がグリース供給装置の接続口１４に装着された状態でねじ部１２からグリース供給装置にグリースが注入される。グリースがグリース供給装置に注入されていくと、グリースが無くなった部位から蛇腹部１６が徐々にその軸方向縮んでいく。山部１６Ａの斜辺長さＳが６．０ｍｍ以上１０．０ｍｍ以下に設定されているので、山部１６Ａの体積が小さくなり、蛇腹部１６が縮んだ状態でも山部１６Ａに残留するグリースの残量が少なくなる。また、容器全体に対する山部１６Ａの占める割合が小さくなり、内部に充填されるグリースの充填量が増大する。【選択図】      図２
2007161322.tif 000002
【特許請求の範囲】
【請求項１】
山部と谷部とが軸方向に交互に形成され軸方向に伸縮可能な蛇腹部と、装着部として機能するねじ部と、を有する容器であって、
前記山部の斜辺長さを６．０ｍｍ以上１０．０ｍｍ以下に設定したことを特徴とする容器。
【請求項２】
山部と谷部とが軸方向に交互に形成され軸方向に伸縮可能な蛇腹部と、装着部として機能するねじ部と、を有する容器であって、
前記山部の径方向先端部の開き角度を６０度以上８０度以下に設定したことを特徴とする容器。
【請求項３】
前記山部の径方向先端部に、外側に突出する肉厚部を形成したことを特徴とする請求項１又は２に記載の容器。
【請求項４】
山部と谷部とが軸方向に交互に形成され軸方向に伸縮可能な蛇腹部と、装着部として機能するねじ部と、を有する容器であって、
前記ねじ部は、前記蛇腹部の軸方向一方側端部に直接形成されていることを特徴とする容器。
【請求項５】
山部と谷部とが軸方向に交互に形成され軸方向に伸縮可能な蛇腹部と、前記蛇腹部の軸方向一方側端部に設けられ装着部として機能するねじ部と、を有する容器であって、
前記蛇腹部の軸方向他方側端部に位置する底部の径を、前記谷部の径よりも小さく設定し、かつ４２．０ｍｍ以上６８．０ｍｍ以下に設定したことを特徴とする容器。
【請求項６】
山部と谷部とが軸方向に交互に形成され軸方向に伸縮可能な蛇腹部と、前記蛇腹部の軸方向一方側端部に設けられ装着部として機能するねじ部と、を有する容器であって、
前記蛇腹部の軸方向他方側端部に位置する底部の肉厚を０．５ｍｍ以上１．５ｍｍ以下に設定したことを特徴とする容器。
【請求項７】
山部と谷部とが軸方向に交互に形成され軸方向に伸縮可能な蛇腹部と、装着部として機能する螺合部を備えたねじ部と、を有する容器であって、
前記山部は、前記蛇腹部の軸方向に対して傾斜して形成されており、前記蛇腹部の軸方向一方側端部から軸方向他方側端部にわたって螺旋状に連続したねじ状山部であり、
前記山部の螺旋方向は、前記螺合部の螺旋方向と同じであることを特徴とする容器。
【請求項８】
前記容器は、内部にグリース又はオイルを充填する粘性流体充填用容器であることを特徴とする請求項１乃至７のいずれか１項に記載の容器。
【発明の詳細な説明】
【技術分野】
【０００１】
本発明は、例えば、工作機械、成形機、低音性、耐熱性、防錆性、耐荷重性等の特性が要求される摺動部材や、摺動部位にグリースやオイルを供給するためのグリース供給装置等の産業用機械に装着される容器に関する。
【背景技術】
【０００２】
図５及び図６に示すように、例えば、グリース供給装置に装着されるグリース充填用容器１００は、グリース供給装置の接続口１０２に挿入されるねじ部１０４と、ねじ部１０４に接続される拡径部１０６と、拡径部１０６と接続し山部１０８Ａと谷部１０８Ｂとが軸方向に交互に形成されるとともに軸方向に伸縮可能な蛇腹部１０８と、を備えている。
【０００３】
図６の左側の図に示すように、このグリース充填用容器１００のねじ部１０４がグリース供給装置の接続口１０２に取り付けられることによりグリース充填用容器１００がグリース供給装置に対して接続される。そして、グリース充填用容器１００の内部に充填されたグリースがねじ部１０４を介してグリース供給装置の内部に注入されていく。また、図６の右側の図に示すように、グリース充填用容器１００内部のグリースがグリース供給装置の内部に注入されていくと、グリース充填用容器１００の蛇腹部１０８がねじ部１０４と反対側に位置する底部１０８Ｃの側から順番に縮んでいく。
【特許文献１】特開２００３−９５３５５号公報
【発明の開示】
【発明が解決しようとする課題】
【０００４】
ところで、上記グリース充填用容器では、蛇腹部を構成する山部の高さや斜辺の長さが比較的長いため、蛇腹部が縮んでいくと、この山部に多くのグリースが残ってしまう。また、グリース充填用容器のねじ部の軸方向長さが長く、かつ拡径部も設けられているため、ねじ部と拡径部に残るグリースの残量も多くなる。このように、グリースの残量が多くなると、不経済になるばかりか、グリース充填用容器の洗浄が困難となりグリース充填用容器の再使用もできなくなるため、産業廃棄物としての問題も生じてくる。
【０００５】
また、従来のグリース充填用容器では、蛇腹部を構成する山部の高さや斜辺の長さが比較的長いため、グリース充填用容器に対する山部が占める割合が比較的大きくなり、グリース充填用容器に充填されるグリースの充填量が低下するという別の問題も生じる。
【０００６】
そこで、本発明は、上記事情を考慮し、充填されるグリースやオイルなどの充填物の充填量を増大させ、使用後に内部に残留するグリースやオイルなどの充填物の残量を少なくすることができる容器を提供することを目的とする。
【課題を解決するための手段】
【０００７】
請求項１に記載の発明は、山部と谷部とが軸方向に交互に形成され軸方向に伸縮可能な蛇腹部と、装着部として機能するねじ部と、を有する容器であって、前記山部の斜辺長さを６．０ｍｍ以上１０．０ｍｍ以下に設定したことを特徴とする。
【０００８】
請求項１に記載の発明によれば、例えば、内部にグリース又はオイルが充填された容器のねじ部がグリース供給装置の接続口に装着されて、容器の使用状態となる。この状態で容器のねじ部からグリース供給装置の内部にグリース又はオイルが注入されていく。容器の内部のグリース又はオイルがグリース供給装置の内部に注入されていくと、グリース又はオイルが無くなった部位から蛇腹部が徐々にその軸方向縮んでいく。ここで、山部の斜辺長さが６．０ｍｍ以上１０．０ｍｍ以下に設定されているので、山部の体積が小さくなり、蛇腹部が縮んだ状態でも山部に残留するグリース又はオイルの残量を少なくすることができる。また、山部の斜辺長さが６．０ｍｍ以上１０．０ｍｍ以下に設定されているので、容器全体に対する山部の占める割合が小さくなるため、内部に充填される充填物（例えば、グリース又はオイル）の充填量を増大させることができる。さらに、山部の体積が小さくなるため、容器が洗浄し易くなり、容器を再使用することができる。
【０００９】
逆に、山部の斜辺長さが６．０ｍｍ未満であると、山部の体積が小さくなり過ぎ、充填可能な充填物の容量が少なくなるため不適となる。また、山部の斜辺長さが１０．０ｍｍよりも長くなると、山部の体積が大幅に増加して山部に残留する充填物の残量が多くなるため不適となる。
【００１０】
なお、山部の斜辺長さについては、６．０ｍｍから７．０ｍｍまでの範囲に設定することが最も好ましい。
【００１１】
請求項２に記載の発明は、山部と谷部とが軸方向に交互に形成され軸方向に伸縮可能な蛇腹部と、装着部として機能するねじ部と、を有する容器であって、前記山部の径方向先端部の開き角度を６０度以上８０度以下に設定したことを特徴とする。
【００１２】
請求項２に記載の発明によれば、例えば、内部にグリース又はオイルが充填された容器のねじ部がグリース供給装置の接続口に装着されて、容器の使用状態となる。この状態で容器のねじ部からグリース供給装置の内部にグリース又はオイルが注入されていく。容器の内部のグリース又はオイルがグリース供給装置の内部に注入されていくと、グリース又はオイルが無くなった部位から蛇腹部が徐々にその軸方向に縮んでいく。ここで、山部の径方向先端部の開き角度が６０度以上８０度以下に設定されているので、蛇腹部が縮み易くなり、山部にグリース又はオイルが残留し難くなる。
【００１３】
逆に、山部の径方向先端部の開き角度が６０度よりも小さくなると、山部の体積が小さくなり過ぎ、充填可能な充填物の容量が少なくなるため、不適となる。また、山部の径方向先端部の開き角度が８０度よりも大きくなると、蛇腹部が軸方向に縮み難くなり不適となる。
【００１４】
なお、山部の径方向先端部の開き角度については、６７度が最も好ましい。
【００１５】
請求項３に記載の発明は、請求項１又は２に記載の容器において、前記山部の径方向先端部に、外側に突出する肉厚部を形成したことを特徴とする。
【００１６】
請求項３に記載の発明によれば、山部の径方向先端部には外側に突出する肉厚部が形成されているため、山部の径方向先端部の肉厚を少なくすることができる。これにより、山部の径方向先端部の開き角度を鋭角にすることができるため、蛇腹部を軸方向に縮み易くすることができる。
【００１７】
請求項４に記載の発明は、山部と谷部とが軸方向に交互に形成され軸方向に伸縮可能な蛇腹部と、装着部として機能するねじ部と、を有する容器であって、前記ねじ部は、前記蛇腹部の軸方向一方側端部に直接形成されていることを特徴とする。
【００１８】
請求項４に記載の発明によれば、ねじ部が蛇腹部の軸方向一方側端部に直接形成されていることにより、従来の容器と比較して拡径部を取り除くことができる。これにより、拡径部に残留する充填物（例えば、グリース又はオイル）の残量を無くすことができ、容器全体に残留する充填物（例えば、グリース又はオイル）の残量を少なくすることができる。
なお、本明細書において「直接形成されている」とは、従来の容器のように拡径部を介してねじ部が蛇腹部に接続した構成ではなく、ねじ部が蛇腹部に連続して形成されている意味である。
【００１９】
請求項５に記載の発明は、山部と谷部とが軸方向に交互に形成され軸方向に伸縮可能な蛇腹部と、前記蛇腹部の軸方向一方側端部に設けられ装着部として機能するねじ部と、を有する容器であって、前記蛇腹部の軸方向他方側端部に位置する底部の径を、前記谷部の径よりも小さく設定し、かつ４２．０ｍｍ以上６８．０ｍｍ以下に設定したことを特徴とする。
【００２０】
請求項５に記載の発明によれば、蛇腹部の軸方向他方側端部に位置する底部の径が、谷部の径よりも小さく設定されており、かつ４２．０ｍｍ以上６８．０ｍｍ以下に設定されているため、蛇腹部が軸方向に縮むときに蛇腹部の底部が谷部の径方向内側に吸い込まれるように移動する。これにより、容器内部に充填されている充填物（例えば、グリース又はオイル）を底部によりねじ部側に押し出すことができ、内部に残留する充填物（例えば、グリース又はオイル）の残量を少なくすることができる。特に、底部の径が４８．０ｍｍ以上６８．０ｍｍ以下に設定されているため、容器内部に充填される充填物（例えば、グリース又はオイル）の充填量を減らすことがない。
【００２１】
逆に、底部の径が４８．０ｍｍ未満であれば、底部の径方向外側端部近傍の充填物を底部によりねじ部側に十分に押し出すことができないため不適となる。また、逆に、底部の径が６８．０ｍｍよりも大きくなれば、底部の中心部近傍の充填物を底部によりねじ部側に十分に押し出すことができないため不適となる。
【００２２】
なお、底部の径については、６８．０ｍｍが最も好ましい。
【００２３】
請求項６に記載の発明は、山部と谷部とが軸方向に交互に形成され軸方向に伸縮可能な蛇腹部と、前記蛇腹部の軸方向一方側端部に設けられ装着部として機能するねじ部と、を有する容器であって、前記蛇腹部の軸方向他方側端部に位置する底部の肉厚を０．５ｍｍ以上１．５ｍｍ以下に設定したことを特徴とする。
【００２４】
請求項６に記載の発明によれば、蛇腹部の軸方向他方側端部に位置する底部の肉厚が０．５ｍｍ以上１．５ｍｍ以下に設定されているため、材料費の増大を抑制しつつ、蛇腹部の底部の剛性を高めることができる。これにより、蛇腹部が軸方向に縮むときに、蛇腹部の底部は曲がることなく水平な状態を維持するため、蛇腹部の底部付近の充填物（例えば、グリース又はオイル）をねじ部側に押し出すことができる。この結果、蛇腹部の底部付近に残留する充填物（例えば、グリース又はオイル）の残量を少なくすることができる。
【００２５】
逆に、底部の肉厚が１．５ｍｍよりも大きければ、容器を成形し難くなり不適となる。
【００２６】
なお、底部の肉厚については、０．８ｍｍ以上１．０ｍｍ以下に設定されていることが最も好ましい。
【００２７】
請求項７に記載の発明は、山部と谷部とが軸方向に交互に形成され軸方向に伸縮可能な蛇腹部と、装着部として機能する螺合部を備えたねじ部と、を有する容器であって、前記山部は、前記蛇腹部の軸方向に対して傾斜して形成されており、前記蛇腹部の軸方向一方側端部から軸方向他方側端部にわたって螺旋状に連続したねじ状山部であり、前記山部の螺旋方向は、前記螺合部の螺旋方向と同じであることを特徴とする。
【００２８】
請求項７に記載の発明によれば、山部は、蛇腹部の軸方向に対して傾斜して形成されており、蛇腹部の軸方向一方側端部から軸方向他方側端部にわたって螺旋状に連続したねじ状山部であるため、蛇腹部が軸方向に縮むときに、山部に充填されている充填物（例えば、グリース又はオイル）が山部を螺旋状にねじ部に向かって流動していき、やがてねじ部に到達する。このように、蛇腹部が軸方向に縮むときに、山部に充填されている充填物（例えば、グリース又はオイル）をねじ部に容易に導くことができる。この結果、容器内部に残留する充填物（例えば、グリース又はオイル）の残量を少なくすることができる。なお、山部の螺旋方向が螺合部の螺旋方向と同じであるため、蛇腹部が軸方向に縮んだ場合でも、螺合部の螺合度が緩むことがない。
【００２９】
請求項８に記載の発明は、請求項１乃至７のいずれか１項に記載の容器において、前記容器は、内部にグリース又はオイルを充填する粘性流体充填用容器であることを特徴とする。
【００３０】
請求項８に記載の発明によれば、容器が内部にグリース又はオイルを充填する粘性流体充填用容器として用いられることにより、内部に残留するグリース又はオイルの残量を少なくすることができる。
【発明の効果】
【００３１】
本発明によれば、充填されるグリースやオイルなどの充填物の充填量を増大させ、使用後に内部に残留するグリースやオイルなどの充填物の残量を少なくすることができる。
【発明を実施するための最良の形態】
【００３２】
次に、本発明の第１実施形態に係る容器について、図面を参照して説明する。
なお、本実施形態では、内部にグリース（又はオイル）が充填されるグリース充填用容器を一例に挙げて、以下に説明する。
【００３３】
図１及び図２に示すように、グリース充填用容器１０は、円筒状のねじ部１２を備えている。このねじ部１２の外周には、螺合部１３が形成されている。この螺合部１３がグリース供給装置（図示省略）に形成された接続口１４と螺合することにより、ねじ部１２がグリース供給装置（図示省略）に装着される。
【００３４】
また、ねじ部１２には、蛇腹部１６が一体形成されている。すなわち、ねじ部１２は、蛇腹部１６の軸方向一方側端部に直接形成されている。また、蛇腹部１６には、径方向長さが長い山部１６Ａと、径方向長さが短い谷部１６Ｂと、が軸方向（図１中矢印Ｚ方向）に交互にかつ連続するように形成されている。
【００３５】
ここで、図１及び図３に示すように、山部１６Ａの斜辺長さＳは、６．０ｍｍ以上１０．０ｍｍ以下となるように設定されている。また、山部１６Ａの径方向先端部の開き角度αは、６０度以上８０度以下となるように設定されている。
【００３６】
また、図３に示すように、山部１６Ａの径方向先端部には、外側に突出する肉厚部１８が形成されている。この肉厚部１８の厚みＴは、０．３ｍｍ以上０．７ｍｍ以下となるように設定されている。逆に、肉厚部１８の厚みＴが、０．７ｍｍよりも厚くなると、肉厚部１８の成形が困難となり不適となる。
【００３７】
また、蛇腹部１６の軸方向他方側端部（ねじ部１２の反対側に位置する端部）に位置する底部１６Ｃの径Ｒは、谷部１６Ｂの径よりも小さく設定されており、かつ４２．０ｍｍ以上６８．０ｍｍ以下となるように設定されている。
【００３８】
また、蛇腹部１６の軸方向他方側端部（ねじ部１２の反対側に位置する端部）に位置する底部１６Ｃの肉厚Ｂは、０．５ｍｍ以上１．５ｍｍ以下となるように設定されている。
【００３９】
次に、本実施形態のグリース充填用容器１０の作用について説明する。
【００４０】
図１及び図２に示すように、例えば、内部にグリース又はオイルが充填されたグリース充填用容器１０のねじ部１２がグリース供給装置の接続口１４に装着されると、グリース充填容器１０のねじ部１２からグリース供給装置の内部にグリースが注入されていく。グリース充填用容器１０の内部のグリースがグリース供給装置の内部に注入されていくと、グリース充填用容器１０の内部のグリースが無くなっていき、その無くなった部位から山部１６Ａ同士が重なるようにして蛇腹部１６が徐々にその軸方向縮んでいく。
【００４１】
ここで、図３に示すように、山部１６Ａの斜辺長さＳが６．０ｍｍ以上１０．０ｍｍ以下に設定されているので、山部１６Ａの体積が小さくなり、蛇腹部１６が縮んだ状態でも山部１６Ａに残留するグリースの残量を少なくすることができる。また、山部１６Ａの斜辺長さＳが６．０ｍｍ以上１０．０ｍｍ以下に設定されているので、容器全体に対する山部１６Ａの占める割合が小さくなるため、内部に充填されるグリースの充填量を増大させることができる。さらに、山部１６Ａの体積が小さくなるため、グリース充填用容器１０が洗浄し易くなり、グリース充填用容器１０を再使用することができる。
【００４２】
また、山部１６Ａの径方向先端部の開き角度αが６０度以上８０度以下に設定されているので、蛇腹部１６が軸方向に縮み易くなり、山部１６Ａにグリースが残留し難くなるため、容器内部に残留するグリースの残量を少なくすることができる。
【００４３】
特に、山部１６Ａの径方向先端部には外側に突出する肉厚部１８が形成されているため、山部１６Ａの径方向先端部の肉厚を少なくすることができる。これにより、山部１６Ａの径方向先端部の開き角度αを鋭角にすることができるため、蛇腹部１６を軸方向に縮み易くすることができる。
【００４４】
また、ねじ部１２が蛇腹部１６の軸方向一方側端部に直接形成されていることにより、従来のグリース充填用容器１００（図５参照）と比較して拡径部１０６（図５参照）を取り除くことができる。これにより、拡径部１０６に残留するグリースの残量を無くすことができるため、容器全体に残留するグリースの残量を少なくすることができる。
【００４５】
また、蛇腹部１６の軸方向他方側端部に位置する底部１６Ｃの径Ｒが、谷部１６Ｂの径よりも小さく設定されており、かつ４２．０ｍｍ以上６８．０ｍｍ以下に設定されているため、蛇腹部１６が軸方向に縮むときに蛇腹部１６の底部１６Ｃが谷部１６Ｂの径方向内側に吸い込まれるように移動する。これにより、容器内部に充填されているグリースを底部１６Ｃによりねじ部１２側に押し出すことができ、内部に残留するグリースの残量を少なくすることができる。特に、底部１６Ｃの径Ｒが４２．０ｍｍ以上６８．０ｍｍ以下に設定されているため、容器内部に充填されるグリースの充填量を減らすことがない。
【００４６】
また、蛇腹部１６の軸方向他方側端部に位置する底部１６Ｃの肉厚Ｂが０．５ｍｍ以上１．５ｍｍ以下に設定されているため、グリース充填用容器１０の材料費の増大を抑制しつつ、蛇腹部１６の底部１６Ｃの剛性を高めることができる。これにより、蛇腹部１６が軸方向に縮むときに、蛇腹部１６の底部１６Ｃは曲がることなく水平な状態を維持するため、蛇腹部１６の底部１６Ｃ付近のグリースをねじ部１２側に押し出すことができる。この結果、蛇腹部１６の底部１６Ｃ付近に残留するグリースの残量を少なくすることができる。
【００４７】
次に、上記実施形態のグリース充填用容器１０の変形例について説明する。
なお、上記実施形態のグリース充填用容器１０の構成と同様の構成の説明及び作用効果の説明は適宜省略する。
【００４８】
図４に示すように、変形例となるグリース充填用容器２０は、上記実施形態のグリース充填用容器１０の構成を前提にしたものであり、その山部２２Ａが、蛇腹部２２の軸方向（図４中矢印Ｚ方向）に対して傾斜して形成されており、かつ蛇腹部２２の軸方向一方側端部から軸方向他方側端部にわたって螺旋状に連続したねじ状山部となるように設定されているものである。また、ねじ部２４の外周には螺合部２５が形成されており、山部２２Ａの螺旋方向は螺合部２５の螺旋方向と同じになるように設定されている。
【００４９】
この変形例のグリース充填用容器２２によれば、山部２２Ａは、蛇腹部２２の軸方向に対して傾斜して形成されており、蛇腹部２２の軸方向一方側端部から軸方向他方側端部にわたって螺旋状に連続したねじ状山部であるため、蛇腹部２２が軸方向に縮むときに、山部２２Ａに充填されているグリースが山部２２Ａを螺旋状にねじ部２４に向かって流動していき、やがてねじ部２４に到達する。このように、蛇腹部２２が軸方向に縮むときに、山部２２Ａに充填されているグリースをねじ部２４に容易に導くことができる。この結果、容器内部に残留するグリースの残量を少なくすることができる。
【図面の簡単な説明】
【００５０】
【図１】本発明の第１実施形態に係る容器の外観図である。
【図２】左側は本発明の第１実施形態に係る容器がグリース供給装置の接続口に装着されかつその蛇腹部が伸びた状態の図であり、右側はその蛇腹部が縮んだ状態の図である。
【図３】本発明の第１実施形態に係る容器を構成する蛇腹部の要部拡大図である。
【図４】本発明の第１実施形態に係る容器の変形例の外観図である。
【図５】従来の容器の外観図である。
【図６】左側は従来の容器がグリース供給装置の接続口に装着されかつその蛇腹部が伸びた状態の図であり、右側はその蛇腹部が縮んだ状態の図である。
【符号の説明】
【００５１】
１０、２０    グリース充填用容器（容器、粘性流体充填用容器）
１２、２４    ねじ部
１６、２２    蛇腹部
１６Ａ、２２Ａ  山部
１６Ｂ        谷部
１６Ｃ        底部
１８          肉厚部
２５          螺合部
【図１】
2007161322.tif 000003
【図２】
2007161322.tif 000004
【図３】
2007161322.tif 000005
【図４】
2007161322.tif 000006
【図５】
2007161322.tif 000007
【図６】
2007161322.tif 000008